(57)【要約】【課題】ゴルフのパッティング練習用のカップにおいて、練習精度を高めるためにカップイン幅を調整できる器具を提供する。【解決手段】適宜大きさの円板状ベース部１の上面後方半円に筒状の後方周壁部２を形成し、前記後方周壁部２に基部を内装可能にして円形状に添って前方へ出没自在に組み込んだ前方周壁部３を備え、前方周壁部３を出没調整（係止部によって一定間隔で係止位置を選択する）によってカップインの幅を調整し、パッティング精度を向上させる練習を可能とする。【選択図】図１
0003144025.tif 000002
【実用新案登録請求の範囲】
【請求項１】
適宜大きさの円板状ベース部の上面後方半円に後方周壁部を形成し、前記後方周壁部に基部を内装可能にして円形状に添って前方へ出没自在に組み込んだ前方周壁を備えてなることを特徴とするパッティング練習用カップ。
【請求項２】
後方周壁部を筒状に形成し、前方周壁を前記後方周壁部に挿入して出没自在に組み込んでなる請求項１記載のパッティング練習用カップ。
【請求項３】
後方周壁部の両端部分各々に前方周壁を組み込んでなる請求項１又は２記載のパッティング練習用カップ。
【請求項４】
後方周壁が上面部を備えると共に、前方周壁が前記後方周壁の上面部の裏面に添う上面部を備え、前方周壁の基部に、上方付勢した係止ボールを、周壁の上面部から上部を露出状態で埋設してなる係止部を設けると共に、後方周壁の上面部に、前記係止ボール頂部が嵌合する係止受け透孔を適宜間隔で連設してなる請求項１乃至３記載の何れかのパッティング練習用カップ。
【考案の詳細な説明】
【技術分野】
【０００１】
本考案は、パッティング練習用カップに関するものである。
【背景技術】
【０００２】
ゴルフのパッティング練習を、室内の絨毯の上や、屋外の芝生面で行う場合に、ゴルフホールに代えて平板状のカップを使用している。このパッティング練習用カップは、ホールに対応するカップ部を備えると共に、当該穴部にボールが転がり入ることが可能な構造となっている。
【０００３】
具体的には、特許文献１（特開平２−８４９７４号公報）に示されているように、ゴルフボールで容易に撓む円錐周面形状の周壁を備えてカップ部を構成した器具や、特許文献２（実開平５−６３５７３号公報）に開示されているようにカップ部の周囲を傾斜面に形成した器具や、また特許文献３（実開昭６１−１３０２６８号公報）に示されているように、カップ部の周壁の一部を開口した構造の器具などが知られている。
【０００４】
前記の器具は、カップ部の大きさ（ゴルフボールがカップインできる大きさ）は一定であり、より以上正確なパッティングを習得するための練習器具としては、特許文献４（実開平３−３９０７４号公報）に記載されているように、カップ部を同心円状のリング体で構成し、リング体の選択嵌合によってカップ部のホール径を決定する器具が知られている。
【０００５】
【特許文献１】特開平２−８４９７４号公報。
【特許文献２】実開平５−６３５７３号公報。
【特許文献３】実開昭６１−１３０２６８号公報。
【特許文献４】実開平３−３９０７４号公報。
【考案の開示】
【考案が解決しようとする課題】
【０００６】
パッティングの正確さをより以上高めるための練習器具として、前記の特許文献４開示の器具が知られているが、ホール径（的の大きさ：カップイン可能な幅）の調整のために、リング体を順次嵌合するものであり、使用しないリング体は器具本体から分離しているものであるから、パッティングの方向及び距離等のパッティング状況を変化させて練習する場合には、離れた個所にリング体が存在することになり、ホール径の調整作業が面倒であるし、また離れた部材（リング体）は、紛失し易いという問題がある。
【０００７】
そこで本考案は、単一体でカップイン幅を調整できる新規なパッティング練習用カップを提案したものである。
【課題を解決するための手段】
【０００８】
本考案に係るパッティング練習用カップは、適宜大きさの円板状ベース部の上面後方半円に後方周壁部を形成し、前記後方周壁部に基部を内装可能にして円形状に添って前方へ出没自在に組み込んだ前方周壁を備えてなることを特徴とするものである。
【０００９】
而して従前の練習用カップと同様にパッティングの的として使用するもので、ヒットされたボールが前方周壁の存在しない個所を通過してベース部上に達することでカップインと想定されるもので、前方周壁を出没調整によって前記のカップインの幅が調整され、パッティング精度を向上させる練習が可能となるものである。
【００１０】
また本考案（請求項２）は、前記のパッティング練習用カップにおいて、特に後方周壁部を筒状に形成し、前方周壁を前記後方周壁部に挿入して出没自在に組み込んでなるもので、前方周壁の抜き差し操作でカップイン幅の設定が容易にできる。
【００１１】
更に本考案（請求項３）に係るパッティング練習用カップは、後方周壁部の両端部分各々に前方周壁を組み込んでなるもので、左右の前方周壁による出没調整で、カップインの中心線を変更することなく、カップイン幅の設定ができる。
【００１２】
また本考案（請求項４）に係るパッティング練習用カップは、後方周壁が上面部を備えると共に、前方周壁が前記後方周壁の上面部の裏面に添う上面部を備え、前方周壁の基部に、上方付勢した係止ボールを、周壁の上面部から上部を露出状態で埋設してなる係止部を設けると共に、後方周壁の上面部に、前記係止ボール頂部が嵌合する係止受け透孔を適宜間隔で連設してなるものである。
【００１３】
而して上方に付勢された係止ボールは、出没移動に際しては下方に圧せられ、透孔位置で上方に移動して透孔に頂部が嵌合するもので、前方周壁の出没調整を係止受け透孔の選択位置によって容易に設定でき、且つ係止状態を維持することで、器具の位置を移動させたとしても、カップイン幅が変更されることがない。
【考案の効果】
【００１４】
本考案は上記の構成のとおりで、前方周壁の出没調整でカップインできる幅（前方周壁の存在しない個所）を調整し、所望の精度が要求される練習器具を提供できたものであり、且つカップイン幅の調整操作も容易になされるものである。
【考案を実施するための最良の形態】
【００１５】
次に本考案の実施形態について説明する。実施形態に示したパッティング練習用カップは、ベース部１と、後方周壁部２と、前方周壁３とで構成される。
【００１６】
ベース部１は、適宜大きさの円板状で、その上面に後方周壁部２が固定状態で設けられ、前方周壁３が可動状態で組み込まれるものである。
【００１７】
後方周壁部２は、ベース部１の上面後方半円に、上面部２１を備えた筒状で、半円形状に設けたもので、上面部２１に後述する係止ボール３５の頂部が嵌合する係止受け透孔２２を適宜間隔で形成してなる。
【００１８】
前方周壁部３は、前記後方周壁部２の筒状部内に挿入される大きさの２個の弧状体で、後方周壁の上面部２１の裏面に添う上面部３１を備えてなり、基部に、係止部３２を設けたものである。
【００１９】
係止部３２は、縦穴部３３を形成し、この縦穴部３３に発条３４を埋設すると共に、縦穴部３３の上方個所に、前記発条３４で上方に付勢される係止ボール３５を、上面部３１から上部が露出状態となるように埋設してなるものである。
【００２０】
而して前方周壁部３は、後方周壁部２内に出没自在に装着されると共に、係止部３２の係止ボール３５の頂部が係止受け透孔２２に嵌合し、係止状態となるものである。
【００２１】
従って前方周壁部３の突出程度の調整によって、ベース部内にゴルフボールが入ることができる幅、即ちカップイン幅を任意に設定できるので、従前の練習用カップと同様にパッティングの的として使用する際に、カップイン幅の設定によって練習精度の調整が可能となるものである。
【００２２】
尚本考案においては、後方周壁部２を筒状に形成することなく、庇状の上面部を備える構造でも、或いは係止構造の変更によって、周壁面のみを備えた構造でも可能である。
【図面の簡単な説明】
【００２３】
【図１】本考案の実施形態の全体斜視図。
【図２】同平面図。
【図３】同前方周壁部の斜視図。
【図４】同要部断面図。
【符号の説明】
【００２４】
１          ベース部
２          後方周壁部
２１        上面部
２２        係止受け透孔
３          前方周壁部
３１        上面部
３２        係止部
３３        縦穴部
３４        発条
３５        係止ボール
【図１】
0003144025.tif 000003
【図２】
0003144025.tif 000004
【図３】
0003144025.tif 000005
【図４】
0003144025.tif 000006